(57)【特許請求の範囲】
【請求項１】
コンパクトディスクの直径と等しいか若干短い縦方向長さを有し、各々縦折りラインを介して縦方向に連なっていて、この縦折りラインを介して折り重ねられてコンパクトディスクを挟み込む３箇所以上のセンター領域と、
上記各センター領域の左側に、夫々横折りラインを介してセンター領域上へ折り重ね可能に連なり、しかもセンター領域を縦折りラインを介して折り重ねた時に各々折り重ね可能な左サイド領域と、
上記各センター領域の右側に、夫々横折りラインを介してセンター領域上へ折り重ね可能に連なり、しかもセンター領域を縦折りラインを介して折り重ねた時に各々折り重ね可能な右サイド領域と、
各センター領域間の縦折りライン中央部に、包み込まれるコンパクトディスクの周縁部が差し込まれるスリットとを有することを特徴とするコンパクトディスクホルダ。
【請求項２】
末端のセンター領域の端縁に、縦折りラインを介して掩蓋片が設けられており、しかも末端のセンター領域とこの掩蓋片との間の縦折りライン中央部に、包み込まれるコンパクトディスクの周縁部が入り込むスリットが設けられていることを特徴とする請求項１のコンパクトディスクホルダ。
【請求項３】
各左サイド領域間と、各の右サイド領域間とが、夫々スリットによって切り離されていることを特徴とする請求項１のコンパクトディスクホルダ。
【請求項４】
各左サイド領域と各右サイド領域とが、夫々縦折りラインを介して縦方向に連なっており、しかも各左サイド領域間と各右サイド領域間の各縦折りライン中央部に、包み込まれるコンパクトディスクの周縁部が入り込むスリットが設けられていることを特徴とする請求項１のコンパクトディスクホルダ。
【請求項５】
センター領域及び左右サイド領域が夫々第１〜第３の３箇所ずつで、第１右サイド領域と第３の左サイド領域の縦方向端縁と横方向端縁又は第１の左サイド領域と第３の右サイド領域の縦方向端縁と横方向端縁に、夫々縦折りラインと横折りラインを介して掩蓋片が設けられており、しかもこの縦折りラインの中央部には、包み込まれるコンパクトディスクの周縁部が入り込むスリットが設けられていることを特徴とする請求項３のコンパクトディスクホルダ。
【請求項６】
コンパクトディスクの直径と等しいか若干短い縦方向長さを有し、各々縦折りラインを介して縦方向に連なっていて、この縦折りラインを介して折り重ねられてコンパクトディスクを挟み込む第１及び第２の２箇所のセンター領域と、
上記第１及び第２のセンター領域の左側に、夫々横折りラインを介して第１及び第２のセンター領域上へ折り重ね可能に連なり、しかも第１及び第２のセンター領域を縦折りラインを介して折り重ねた時に各々折り重ね可能な第１及び第２の左サイド領域と、
上記第１及び第２のセンター領域の右側に、夫々横折りラインを介して第１及び第２のセンター領域上へ折り重ね可能に連なり、しかも第１及び第２のセンター領域を縦折りラインを介して折り重ねた時に各々折り重ね可能な第１及び第２の右サイド領域と、
第１又は第２のセンター領域の端縁に、縦折りラインを介して設けられた掩蓋片と、
第１のセンター領域と第２のセンター領域間の縦折りラインと、第１又は第２のセンター領域と掩蓋片間の縦折りラインの各中央部に設けられ、包み込まれるコンパクトディスクの周縁部が入り込むスリットとを有することを特徴とするコンパクトディスクホルダ。
【発明の詳細な説明】
【０００１】
【発明の属する技術分野】
本発明は、コンパクトディスクを定形郵便物として郵送する時に用いるコンパクトディスクホルダ（以下「ホルダ」という）に関する。
【０００２】
【従来の技術】
近年、コンパクトディスクの急速な普及に伴って、コンパクトディスクを郵送する頻度も高まってきている。
【０００３】
ところで、コンパクトディスクの直径は１２ｃｍであるのに対し、定形郵便物の大きさは、長さが１４〜２３．５ｃｍ、幅が９〜１２ｃｍに定められており、±０．２５ｃｍの誤差が認められてはいるものの、コンパクトディスクの保護も考慮した厚手の封筒にコンパクトディスクを入れて郵送しようとすると、定形郵便物の幅を超えてしまうことになる。そこで、コンパクトディスクを保護しつつ定形郵便物として経済的に郵送できるようにするために、次のような工夫がなされている。
【０００４】
（１）幅が１２ｃｍの台紙に幅が１２ｃｍの合成樹脂のベースを取り付け、このベースにに形成された直径１２ｃｍの窪み内にコンパクトディスクを収納し、台紙と一体で幅が１２ｃｍのフラップでベース上を蓋で覆って、幅が１２．２５ｃｍ以内の薄手の封筒に入れる（特開平８−１６９４８７号公報）。つまり、ベースの幅方向で一部が側方に開放された窪みをベース設けることで、コンパクトディスクの直径と同じ幅のベースにコンパクトディスクを保持できるようにしたホルダを用いたものである。
【０００５】
（２）高さが１２ｃｍで、底部にコンパクトディスクの周縁部が差し込まれる切り欠きを設けたポケット状若しくは袋状のホルダを厚紙で形成し、このホルダにコンパクトディスクを入れ、コンパクトディスクを入れたホルダを、幅が１２．２５ｃｍ以内の薄手の封筒に入れる（特開平９−５８７７９号公報）。つまり、底部に切り欠きを設けてそこにコンパクトディスクの周縁部を差し込むことで、ホルダを構成する厚紙の厚みに拘らず、コンパクトディスクの直径と同じ高さでコンパクトディスクを収容できるホルダを用いたものである。
【０００６】
【発明が解決しようとする課題】
しかしながら、上記（１）のホルダは、窪み内に安定してコンパクトディスクを保持することができるが、合成樹脂製のベースを用いるものであり、製造コストが高い問題がある。また、コンパクトディスクの郵送と共にコンパクトディスクの取り扱い説明や広告その他の情報を伝えたい場合、ホルダ自体にはこれらの印刷スペースが少ないので、別途これらを印刷した紙片を付帯させなければならなくなる問題もある。
【０００７】
また、上記（２）のホルダは、総て厚紙で構成できるので、上記（１）のホルダに比して製造コストが廉価であるが、やはりホルダ自体に印刷スペースがほとんどなく、上記と同様の問題がある。また、ホルダ内のコンパクトディスクの横ずれは、コンパクトディスクの周縁部が底部の切り欠きに入り込んでいることである程度抑制できるが、ホルダの上部開口部側はコンパクトディスク横方向のずれを何ら押えていないので、ホルダ内でのコンパクトディスクの安定した保持性に欠ける問題もある。
【０００８】
本発明は、上記従来の問題点にかんがみてなされたもので、コンパクトディスクを定形郵便物として郵送可能にするホルダについて、コンパクトディスクを安定した状態で保持でき、しかもコンパクトディスクの取り扱い説明や広告その他の情報を印刷できる広いスペースがとれるようにすることを目的とする。
【０００９】
【課題を解決するための手段】
このために本発明は、コンパクトディスクの直径と等しいか若干短い縦方向長さを有し、各々縦折りラインを介して縦方向に連なっていて、この縦折りラインを介して折り重ねられてコンパクトディスクを挟み込む３箇所以上のセンター領域と、
上記各センター領域の左側に、夫々横折りラインを介してセンター領域上へ折り重ね可能に連なり、しかもセンター領域を縦折りラインを介して折り重ねた時に各々折り重ね可能な左サイド領域と、
上記各センター領域の右側に、夫々横折りラインを介してセンター領域上へ折り重ね可能に連なり、しかもセンター領域を縦折りラインを介して折り重ねた時に各々折り重ね可能な右サイド領域と、
各センター領域間の縦折りライン中央部に、包み込まれるコンパクトディスクの周縁部が差し込まれるスリットとを有することを特徴とするホルダを提供するものである。
【００１０】
また、上記センター領域と左右サイド領域とが夫々第１と第２の２箇所ずつであって、第１又は第２のセンター領域の端縁に、縦折りラインを介して設けられた掩蓋片を設け、更に、第１のセンター領域と第２のセンター領域間の縦折りラインと、第１又は第２のセンター領域と掩蓋片間の縦折りラインの各中央部に、包み込まれるコンパクトディスクの周縁部が入り込むスリットを設けたことを特徴とするホルダを提供するものでもある。
【００１１】
【発明の実施の形態】
以下、図面に基づいて本発明に係るホルダを説明する。尚、本明細書において、縦方向とは図面における上下方向をいい、横方向とは図面における左右方向をいう。また、以下の説明で参照する図面の符号のうち、かっこ付きで図面に記載された符号は、下側に隠されていて、しかも隠れ線（点線）で表示されていない部位を示す。
【００１２】
先ず、図１〜図６に基づいて本発明に係るホルダの第１の例を説明する。
【００１３】
図１に示されるように、本ホルダは、展開状態においてほぼ方形をなしており、中央部分は、第１〜第３のセンター領域１ａ〜１ｃに分かれている。この第１〜第３のセンター領域１ａ〜１ｃは、コンパクトディスク２の直径（１２ｃｍ）と等しいか若干短い縦方向長さを有し、各々縦方向への折り返しラインである縦折りライン３ａ，３ｂを介して縦方向に連なっている。第１〜第３のセンター領域１ａ〜１ｃは、後述するように、縦折りライン３ａ，３ｂを介して折り重ねられてコンパクトディスク２を挟み込むものである。また、センター領域１ａ〜１ｃの横方向長さは、本ホルダを封筒に入れることなく郵送する場合、折り畳んだ時の横方向長さが、定形封筒の長さの許容範囲である１４−０．２５ｃｍ〜２３．５＋０．２５ｃｍとなる範囲内で自由に設定することができる。本ホルダを定形封筒に入れて郵送する場合には、定形封筒に入る大きさを考慮して定めればよい。
【００１４】
上記第１〜第３のセンター領域１ａ〜１ｃの左側に、夫々横方向への折り返しラインである横折りライン４ａを介して第１〜第３のセンター領域１ａ〜１ｃ上へ折り重ね可能に連なった左サイド領域５ａ〜５ｃが設けられている。一方、上記縦折りライン３ａ，３ｂは、この第１〜第３の左サイド領域５ａ〜５ｃ間に延長されており、第１〜第３の左サイド領域５ａ〜５ｃは、縦折りライン３ａ，３ｂを介して縦方向に連なり、しかも第１〜第３のセンター領域１ａ〜１ｃを縦折りライン３ａ，３ｂを介して折り重ねた時に各々折り重ね可能なものとなっている。
【００１５】
また、第１〜第３のセンター領域１ａ〜１ｃの右側には、夫々横方向への折り返しラインである横折りライン４ｂを介して第１〜第３のセンター領域１ａ〜１ｃ上へ折り重ね可能に連なった右サイド領域６ａ〜６ｃが設けられている。前記第１〜第３のセンター領域１ａ〜１ｃ間の縦折りライン３ａ，３ｂは、この第１〜第３の右サイド領域６ａ〜６ｃ間にも延長されており、第１〜第３の右サイド領域６ａ〜６ｃは、縦折りライン３ａ，３ｂを介して縦方向に連なり、しかも第１〜第３のセンター領域１ａ〜１ｃを縦折りライン３ａ，３ｂを介して折り重ねた時に各々折り重ね可能なものとなっている。
【００１６】
前記第１〜第３のセンター領域１ａ〜１ｃ間の縦折りライン３ａ，３ｂの中央部には、包み込まれるコンパクトディスク２の周縁部が入り込むスリット７ａ，７ｂが夫々形成されている。また、第３のセンター領域１ｃの端縁には、縦折りライン３ｃを介して掩蓋片８が連接されており、この縦折りライン３ｃの中央部にも上記と同様のスリット７ｃが形成されている。
【００１７】
上述の本ホルダによるコンパクトディスク２の包み込みは次のようにして行うことができる。
【００１８】
先ず、図１の展開状態において、一点鎖線で示される位置にコンパクトディスク２を置き、第１のセンター領域１ａと第１の左右サイド領域５ａ，６ａを、縦折りライン３ａを介して上方（図面における表面側）へ折り返し、第１のセンター領域１ａと第２のセンター領域１ｂ間にコンパクトディスク２を挟み込んで図２の状態とする。
【００１９】
次に、図２の状態において、第１〜第３の左サイド領域５ａ〜５ｃ（第１及び第２の左サイド領域５ａ，５ｂは重なり合っている）を横折りライン４ａを介して上方へ折り返し、第１〜第３のセンター領域１ａ〜１ｃ（第１及び第２のセンター領域１ａ，１ｂは重なり合っている）と重ねて図３の状態とする。更に、図３の状態において、第１〜第３の右サイド領域６ａ〜６ｃ（第１及び第２の右サイド領域６ａ，６ｂは重なっている）を横折りライン４ｂを介して上方へ折り返し、上記第１〜第３のセンター領域１ａ〜１ｂ上に重ねた第１〜第３の左サイド領域５ａ〜５ｃ上に更に重ねて図４の状態とする。
【００２０】
上記図２から図４の状態までの折り返しは、第１〜第３の右サイド領域６ａ〜６ｃを最初に折り返し、その後に第１〜第３の左サイド領域５ａ〜５ｃの折り返しを行うようにしてもよい。
【００２１】
図４の状態において、表面に第２の右サイド領域６ｂが位置し、その下に第１の右サイド領域６ａ、第２の左サイド領域５ｂ、第１の左サイド領域５ａ、第１のセンター領域１ａ及び第２のセンター領域１ｂが順次重なった部分を、縦折りライン３ｂを介して上方に折り返して、表面に第３の右サイド領域６ｃが位置した部分に重ね、図５の状態とする。表面に位置した第３の右サイド領域６ｃの下には、第３の左サイド領域５ｃ及び第３のセンター領域１ｃが順次重なっている。この図５の状態においては、表面には第２のセンター領域１ｂが位置し、その下にコンパクトディスク２が位置し、更にその下側に、第１のセンター領域１ａ、第１の左サイド領域５ａ、第２の左サイド領域５ｂ、第１の右サイド領域６ａ、第２の右サイド領域６ｂ、第３の右サイド領域６ｃ、第３の左サイド領域５ｃ及び第３のセンター領域１ｃが順次重なり合っている。
【００２２】
図５の状態において、掩蓋片８を、縦折りライン３ｃを介して上方に折り返し、必要に応じて、表面に位置する第２のセンター領域１ｂに対して糊付けし、図６の状態として、包み込みを完了する。この図６の状態において、コンパクトディスク２を包み込んだ本ホルダの縦方向長さは、コンパクトディスク２の直径と等しいかやや短い長さであり、コンパクトディスク２の周縁部の一部がスリット７ａ〜７ｃ（スリット７ｃと７ａは同位置にあって重なっている）に入り込んで覗いた状態となっている。即ち、包み込まれたコンパクトディスク２は、縦方向両側においてスリット７ａ〜７ｃに周縁部が入り込んで保持されているので、横方向にずれにくく、安定して保持される。
【００２３】
本ホルダは、コンパクトディスク２を包み込んだ図６の状態でそのまま郵送に付してもよいが、例えば合成樹脂フィルム等の薄い封筒に収容して郵送に付してもよい。使用する封筒は定形郵便物として許容される大きさのものである。例えば図６の状態における本ホルダの縦方向長さが１２ｃｍの場合、幅が１２ｃｍを超えかつ１２．２５ｃｍ以内の封筒を用いればよい。また、封筒を使用する場合、封筒に収納されることで本ホルダの折り畳み状態の解除が押えられるので、縦折りライン３ａ及びスリット７ｃと共に掩蓋片８を省略することもできる。この場合、図５の状態まで折り畳んだ本ホルダを封筒に収納して郵送に付すことになる。
【００２４】
図１に示されるように、展開状態の本ホルダの片面は、定形郵便物の片面のほぼ９倍の面積を有する紙面であり、豊富な情報を本ホルダ自体に印刷して表示することができる。特に図１に現われている面は、図５及び図６の状態での外面とはならないことから、自由な印刷が可能である。図５及び図６の状態で外面となる面には、例えば郵送用の宛先や差出人を印刷しておくことができる。また、本ホルダの展開形状はほぼ方形であるので、この情報を見やすい状態で表示することができる。
【００２５】
ところで、第１の例に係るホルダは、図５及び図６の状態において、コンパクトディスク２の片面（図面の上面側）を第２のセンター領域１ｂが覆い、他面（図面の背面側）を、内側から順に、第１のセンター領域１ａ、第１の左サイド領域５ａ、第２の左サイド領域５ｂ、第１の右サイド領域６ａ、第２の右サイド領域６ｂ、第３の右サイド領域６ｃ、第３の左サイド領域５ｃ及び第３のセンター領域１ｃが覆っている。従って、コンパクトディスク２の包み込み状態が片面に偏っている。また、本ホルダは、通常、紙で構成されるが、その厚さによっては、例えば図４の状態から図５の状態への折り曲げ時等、多数枚が重なった状態等によって折り返し作業がしにくくなる場合もある。
【００２６】
図７〜図１２に示される第２の例に係るホルダは、上記の点を改善したもので、基本的には第１の例に係るホルダと同様であるが、第１〜第３の左サイド領域５ａ〜５ｃ間と、第１〜第３の右サイド領域６ａ〜６ｃ間とが、前記のような縦折りライン３ａ，３ｂを介して連なっているのではなく、スリット９ａ，９ｂ，１０ａ，１０ｂによって分離されたものとなっている。
【００２７】
次に、上記第２の例に係るホルダによるコンパクトディスク２の包み込み手順について説明する。
【００２８】
先ず、図７に示される展開状態から、第１〜第３の左サイド領域５ａ〜５ｃを横折りライン４ａを介して上方に折り返し、夫々第１〜第３のセンター領域１ａ〜１ｃ上に重ねて、図８の状態とする。図８に示されるように、第１〜第３の左サイド領域５ａ〜５ｃは、第１〜第３のセンター領域１ａ〜１ｃより一回り小さく形成されている。
【００２９】
次に、図８の状態において、第１〜第３の右サイド領域６ａ〜６ｃを横折りライン４ｂを介して上方に折り返し、第１〜第３のセンター領域１ａ〜１ｃ上に折り重ねられた第１〜第３の左サイド領域５ａ〜５ｃ上に更に重ね、図９の状態とする。この時、上記のように、第１〜第３の左サイド領域５ａ〜５ｃが第１〜第３のセンター領域１ａ〜１ｃより一回り小さく形成されており、第１〜第３の左サイド領域５ａ〜５ｃの横方向端縁が横折りライン４ｂに接していないため、比較的厚い紙で本ホルダを構成した場合でも、横折りライン４ｂに沿った折り返し作業が行いやすい。また、図９に示されるように、第１〜第３の右サイド領域６ａ〜６ｃも、第１〜第３のセンター領域１ａ〜１ｃより一回り小さく形成されている。
【００３０】
図９の状態において、表面に第１の右サイド領域６ａが位置し、その下に第１の左サイド領域５ａと第１のセンター領域１ａが順次重なった部分を縦折りライン３ａを介して上方に折り返して、表面に第２の右サイド領域６ｂが位置する部分に重ね、図１０の状態とする。表面に第２の右サイド領域６ｂが位置する部分の下には、第２の左サイド領域５ｂと第２のセンター領域１ｂが順次重なっている。この折り返しは、第１のセンター領域１ａと第２のセンター領域１ｂ間の縦折りライン３ａがスリット１０ａ，９ａを介して露出した状態で行われ、一重の折り返しであるので、折り返し作業が行いやすい。
【００３１】
これまでの折り畳み作業は、最初に図７の一点鎖線で示される位置にコンパクトディスク２を置いてから進めてもよいが、この位置にコンパクトディスク２を置かずに折り畳みを進め、表面に第１の右サイド領域６ａが位置する上記部分を縦折りライン３ａを介して立ち上げた状態で、第１のセンター領域１ａと第１の左サイド領域５ａとの間にコンパクトディスク２を滑り込ませると、コンパクトディスク２のセットが容易である。また、横折りライン４ａに沿った第１〜第３の左サイド領域５ａ〜５ｃの折り返しと、横折りライン４ｂに沿った第１〜第３の右サイド領域の折り返しは、いずれを先に行ってもよいのは前述の第１の例の場合と同様である。
【００３２】
図１０の状態において、コンパクトディスク２を挟み込んでいる部分（上から順に第１のセンター領域１ａ、第１の左サイド領域５ａ、第１の右サイド領域６ａ、第２の右サイド領域６ｂ、第２の左サイド領域５ｂ及び第１のセンター領域１ｂが重なった部分）を縦折りライン３ｂを介して上方に折り返し、表面に第３の右サイド領域６ｃが位置する部分に重ね、図１１の状態とする。表面に第３の右サイド領域６ｃが位置する部分の下には、第３の左サイド領域５ｃ及び第３のセンター領域１ｃが順次重なっている。この折り返しも、第２のセンター領域１ｂと第３のセンター領域１ｃ間の縦折りライン３ｂがスリット１０ｂ，９ｂを介して露出した状態で行われ、一重の折り返しであるので、折り返し作業が行いやすい。
【００３３】
図１１の状態においては、表面から順に、第２のセンター領域１ｂ、第２の左サイド領域５ｂ、第２の右サイド領域６ｂ、第１の右サイド領域６ａ及び第１の左サイド領域５ａが重なり、その下にコンパクトディスク２が位置し、コンパクトディスク２の下に、第１のセンター領域１ａ、第３の右サイド領域６ｃ、第３の左サイド領域５ｃ及び第３のセンター領域１ｃが重なっている。つまり、コンパクトディスク２の片面（図面の上面側）は五重に覆われ、他面（図面の背面側）は四重に覆われており、コンパクトディスク２の両面をほぼ等しく保護することができる。
【００３４】
前述のように、掩蓋片８は必須のものではないが、これを設けた場合、図１１の状態において、掩蓋片８を、縦折りライン３ｃを介して上方に折り返し、必要に応じて、表面に位置する第２のセンター領域１ｂに対して糊付けし、図１２の状態として、包み込みを完了する。また、前述のように、第１〜第３の左サイド領域５ａ〜５ｃ及び第１〜第３の右サイド領域６ａ〜６ｃが夫々第１〜第３のセンター領域１ａ〜１ｃより一回り小さく形成されていることから、これらの端縁が縦折りライン３ｃと接しておらず、この掩蓋片８の折り返しが行いやすい。
【００３５】
尚、上述した第２の例において、掩蓋片８を省略することができるのは、前述した第１の例と同様である。また、第１〜第３の左サイド領域５ａ〜５ｃと第１〜第３の右サイド領域６ａ〜６ｃは、第１〜第３のセンター領域１ａ〜１ｃより一回り小さくしなければならないものではなく、両者をほぼ同じ大きさとすることも可能である。この場合、第１〜第３の左サイド領域５ａ〜５ｃ間及び第１〜第３の右サイド領域６ａ〜６ｃ間に設けられた各スリット９ａ，９ｂ，１０ａ，１０ｂを、図示されるような幅のあるものではなく、実質的に幅のない切り込み状に設ければよい。更に、第１の左サイド領域５ａと第２の左サイド領域５ｂとの間のスリット９ａと、第１の右サイド領域６ａと第２の右サイド領域６ｂとの間のスリット１０ａは、省略することが可能である。
【００３６】
次に、図１３〜図１６、図１１及び図１２を用いて第３の例を説明する。
【００３７】
第３の例に係るホルダは、図１３に示されるように、基本的には前記第１の例と同様であるが、第１〜第３の左サイド領域５ａ〜５ｂ間の縦折りライン３ａ，３ｂの中央部と、第１〜第３の右サイド領域６ａ〜６ｃ間の縦折りライン３ａ，３ｂの中央部とに、各々スリット１１ａ，１１ｂ，１２ａ，１２ｂを形成したものとなっている。このスリット１１ａ，１１ｂ，１２ａ，１２ｂは、第１〜第３のセンター領域１ａ〜１ｃ間に位置するスリット７ａ，７ｂと重なるものである。
【００３８】
この第３の例に係るホルダによるコンパクトディスク２の包み込み手順は前記第２の例と同様で、以下にこれを簡単に説明する。
【００３９】
先ず、第１〜第３の左サイド領域５ａ〜５ｃを横折りライン４ａに沿って上方に折り返し、第１〜第３のセンター領域１ａ〜１ｃ上に重ねて図１４の状態とし、更に第１〜第３の右サイド領域６ａ〜６ｃを横折りライン４ｂに沿って上方に折り返して重ね、図１５の状態とする。この折り返しは、第１〜第３の右サイド領域６ａ〜６ｃを最初に行い、第１〜第３の左サイド領域５ａ〜５ｃを後から行うようにしてもよいのは前述した通りである。
【００４０】
次に、表面に第１の右サイド領域６ａが位置する部分を縦折りライン３ａを介して上方に折り返し、図１６の状態とし、更に表面に第１のセンター領域１ａが位置する部分を縦折りライン３ａを介して上方に折り返せば、前述下図１１の状態となる。掩蓋片８を設けていない場合、この状態で包み込みが終了するので、これを封筒に収納すればよい。掩蓋片８を有する場合、掩蓋片８を上方に折り返せば図１２の状態となって、包み込みが終了する。
【００４１】
この第３の例に係るホルダーの場合、第２の例のように、第１〜第３の左サイド領域５ａ〜５ｂと、第１〜第３の右サイド領域６ａ〜６ｃとが夫々分離されておらず、縦方向に連なっていることから、折り畳まれた本ホルダーを図１３の状態へ広げやすい利点がある。尚、第１の左サイド領域５ａと第２の左サイド領域５ｂとの間のスリット１１ａと、第１の右サイド領域６ａと第２の右サイド領域６ｂとの間のスリット１２ａは、省略することが可能である。
【００４２】
図１７〜図２２は、本発明に係るホルダの第４の例を示すもので、前記第２の例を更に変形したものである。
【００４３】
図１７に示されるように、基本的には前記第２の例と同様であるが、第２の例において第３のセンター領域１ｃの縦方向端縁に連なる掩蓋片８が省略されており、これに代えて、第３の左サイド領域５ａの縦及び横方向端縁に、夫々縦及び横折りライン１３ａ，１４ａを介して掩蓋片１５ａ，１５ｂが設けられており、更に第１の右サイド領域６ａの縦及び横方向端縁に、夫々縦及び横折りライン１３ｂ，１４ｂを介して掩蓋片１５ｃ，１５ｄが設けられている。また、第３の左サイド領域５ｃと掩蓋片１５ａ間の縦折りライン１３ａの中央部にはスリット１６ａが設けられており、第１の右サイド領域６ａと掩蓋片１５ｃ間の縦折りライン１３ｂの中央部にはスリット１６ｂが設けられている。
【００４４】
次に、この第４の例に係るホルダによるコンパクトディスク２の包み込み手順を説明する。
【００４５】
先ず、図１７の状態から、第１及び第２の左サイド領域５ａ，５ｂを横折りライン４ａに沿って上方に折り返し、第１及び第２のセンター領域１ａ，１ｂ上に夫々重ねた後、第２及び第３の右サイド領域６ｂ，６ｃを横折りライン４ｂに沿って上方に折り返して、折り返された第１の左サイド領域５ｂと、第３のセンター領域１ｃとの上に夫々重ねて図１８の状態とする。この折り返しは、最初に第２及び第３の右サイド領域６ｂ，６ｃを折り返し、その後に第１と第２の左サイド領域を折り返すことで行ってもよいことは前述した第２及び第３の例と同様である。
【００４６】
次に、表面に第１の左サイド領域５ａが位置し、その下に第１のセンター領域１ａが位置した部分を、縦折りライン３ａを介して上方に折り返し、表面に第２の右サイド領域６ｂが位置した部分に重ねる。そして、この折り返しに伴って、第１のセンター領域１ａに連なる第１の右サイド領域６ａは縦方向に反転され、図１９の状態となる。コンパクトディスク２の挟み込みは、図１７の状態において、図１７に一点鎖線で示される位置にコンパクトディスク２を置いて折り畳みを始めることで行ってもよいが、表面に第１の左サイド領域５ａが位置した上記部分を折り返す時に、第１のセンター領域１ａと第１の左サイド領域５ａとの間に滑り込ませるのが簡便である。
【００４７】
図１９の状態において、表面に第１のセンター領域１ａが位置する部分を、縦折りライン３ｂを介して上方に折り返し、表面に第３の右サイド領域６ｃが位置する部分上に重ね、図２０の状態とする。表面に第１のセンター領域１ａが位置する部分の下側には、上から順に、第１の左サイド領域５ａ、第２の右サイド領域６ｂ、第２の左サイド領域５ｂ及び第２のセンター領域１ｂが重なっている。また、表面に第３の右サイド領域６ｃが位置する部分の下には、第３のセンター領域１ｃが位置しているものである。また、上記折り返しによって、第１の右サイド領域６ａは再び縦方向に反転されることになる。
【００４８】
図２０の状態において、中央の表面には第２のセンター領域１ｂが位置しており、その下に、第２の左サイド領域５ｂ、第２の右サイド領域６ｂ、第１の左サイド領域５ａが位置し、その下にコンパクトディスク２、更にその下に第１のセンター領域１ａ、第３の右サイド領域６ｃ、第３のセンター領域１ｃが位置している。この状態において、第３の左サイド領域５ｃを、横折りライン４ａを介して上方に折り返し、第１の右サイド領域６ａを横折りライン４ｂを介して下方（図面における背面方向）に折り返して図２１の状態とする。
【００４９】
図２１の状態において、表面が第３の左サイド領域５ｃであり、背面が第１の右サイド領域６ａである。そして、第３の左サイド領域５ｃに連接された掩蓋片１５ａ，１５ｂを、夫々縦折りライン１３ａと横折りライン１４ａに沿って下方に折り返して、背面の第１の右サイド領域６ａに糊付けし、更に第１の右サイド領域に連接された掩蓋片１５ｃ，１５ｄを、夫々縦折りライン１３ｂと横折りライン１４ｂに沿って上方に折り返して、表面の第３の左サイド領域に糊付けすることで図２２の状態とし、これによって包み込みを終了する。
【００５０】
上記のようにすると、包み込み完了状態において、四方を完全に封止することができ、そのまま郵送に付しやすくなる。また、スリット７ａと１６ａが重なり合い、スリット７ｂと１６ｂが重なり合って、これにコンパクトディスク２の周縁部の一部が差し込まれた状態となるので、安定したコンパクトディスクの２保持状態が得られる。
【００５１】
以上の第１〜第４の例は、いずれも３連の中央領域と、左サイド領域と、右サイド領域とを有するものとなっているが、これは２連としたり、４連以上とすることもできる。但し、２連の場合、コンパクトディスクの相対向する周縁部をスリットに差し込んで保持するために、末端のセンター領域に縦折りラインを介して掩蓋片を設け、この縦折りラインの中央部に、コンパクトディスクの周縁部が入り込むスリットを設けることが必須となる。例えば、図１において、第３のセンター領域１ｃ、第３の左サイド領域５ｃ及び第３の右サイド領域６ｃをなくし、第２のセンター領域の端縁に、縦折りライン３ｂとスリット７ｂを介して掩蓋片８を連接したものとすればよい。
【００５２】
【発明の効果】
本発明は、以上説明した通りのものであり、次の効果を奏するものである。
【００５３】
（１）展開形状がほぼ方形の紙片状で、しかも２連の場合で定形封筒の片面の約４倍の片面面積を有し、３連、４連…と増加させるにつれて広い面積を得ることができる。従って、収納するコンパクトディスクの取り扱い説明や広告その他の情報を印刷できる面積が広くとれ、これらの情報を印刷した紙片を別途収納する手間を省略することができる。
【００５４】
（２）収納されたコンパクトディスクは、対向する位置で周縁部がスリットに差し込まれた状態で保持されるので、安定した収納状態となり、ホルダ内でのコンパクトディスクの遊びを防止することができる。
【００５５】
（３）定型郵便物として経済的に郵送することができる。
【００５６】
（４）比較的薄い紙で構成することができ、経済性に優れる。
【図面の簡単な説明】
【図１】本発明に係るホルダの第１の例を示す展開平面図である。
【図２】第１の例に係るホルダによるコンパクトディスクの包み込み手順の説明図である。
【図３】第１の例に係るホルダによるコンパクトディスクの包み込み手順の説明図である。
【図４】第１の例に係るホルダによるコンパクトディスクの包み込み手順の説明図である。
【図５】第１の例に係るホルダによるコンパクトディスクの包み込み手順の説明図である。
【図６】第１の例に係るホルダによるコンパクトディスクの包み込み手順の説明図である。
【図７】本発明に係るホルダの第２の例を示す展開平面図である。
【図８】第２の例に係るホルダによるコンパクトディスクの包み込み手順の説明図である。
【図９】第２の例に係るホルダによるコンパクトディスクの包み込み手順の説明図である。
【図１０】第２の例に係るホルダによるコンパクトディスクの包み込み手順の説明図である。
【図１１】第２の例に係るホルダによるコンパクトディスクの包み込み手順の説明図である。
【図１２】第２の例に係るホルダによるコンパクトディスクの包み込み手順の説明図である。
【図１３】本発明に係るホルダの第３の例を示す展開平面図である。
【図１４】第３の例に係るホルダによるコンパクトディスクの包み込み手順の説明図である。
【図１５】第３の例に係るホルダによるコンパクトディスクの包み込み手順の説明図である。
【図１６】第３の例に係るホルダによるコンパクトディスクの包み込み手順の説明図である。
【図１７】本発明に係るホルダの第４の例を示す展開平面図である。
【図１８】第４の例に係るホルダによるコンパクトディスクの包み込み手順の説明図である。
【図１９】第４の例に係るホルダによるコンパクトディスクの包み込み手順の説明図である。
【図２０】第４の例に係るホルダによるコンパクトディスクの包み込み手順の説明図である。
【図２１】第４の例に係るホルダによるコンパクトディスクの包み込み手順の説明図である。
【図２２】第４の例に係るホルダによるコンパクトディスクの包み込み手順の説明図である。
【符号の説明】
１ａ    第１のセンター領域
１ｂ    第２のセンター領域
１ｃ    第３のセンター領域
２      コンパクトディスク
３ａ    縦折りライン
３ｂ    縦折りライン
３ｃ    縦折りライン
４ａ    横折りライン
４ｂ    横折りライン
５ａ    第１の左サイド領域
５ｂ    第２の左サイド領域
５ｃ    第３の左サイド領域
６ａ    第１の右サイド領域
６ｂ    第２の右サイド領域
６ｃ    第３の右サイド領域
７ａ    スリット
７ｂ    スリット
７ｃ    スリット
８      掩蓋片
９ａ    スリット
９ｂ    スリット
１０ａ  スリット
１０ｂ  スリット
１１ａ  スリット
１１ｂ  スリット
１２ａ  スリット
１２ｂ  スリット
１３ａ  縦折りライン
１３ｂ  縦折りライン
１４ａ  横折りライン
１４ｂ  横折りライン
１５ａ  掩蓋片
１５ｂ  掩蓋片
１５ｃ  掩蓋片
１５ｄ  掩蓋片
１６ａ  スリット
１６ｂ  スリット
【図１】
0003712826.tif 000002
【図２】
0003712826.tif 000003
【図３】
0003712826.tif 000004
【図４】
0003712826.tif 000005
【図５】
0003712826.tif 000006
【図６】
0003712826.tif 000007
【図７】
0003712826.tif 000008
【図８】
0003712826.tif 000009
【図９】
0003712826.tif 000010
【図１０】
0003712826.tif 000011
【図１１】
0003712826.tif 000012
【図１２】
0003712826.tif 000013
【図１３】
0003712826.tif 000014
【図１４】
0003712826.tif 000015
【図１５】
0003712826.tif 000016
【図１６】
0003712826.tif 000017
【図１７】
0003712826.tif 000018
【図１８】
0003712826.tif 000019
【図１９】
0003712826.tif 000020
【図２０】
0003712826.tif 000021
【図２１】
0003712826.tif 000022
【図２２】
0003712826.tif 000023